(57)【要約】【課題】プリンタ装置に認証情報を転送する際に、常にホスト装置側で印刷データと認証情報をマージして転送するのは、特に携帯端末等から印刷を行う印刷システムを構成する上では不都合なものであった。【解決手段】端末装置からのジョブの印刷指示により印刷を実行する印刷制御システムであって、端末装置に設置される、第１の認証情報取得手段と、端末装置からの指示によりジョブの印刷を行う印刷装置と、印刷装置に設置される第２の認証情報取得手段と、端末装置から印刷装置に転送される、印刷ジョブ、及び認証情報を転送するための転送手段と、印刷装置にあって、第１の認証情報取得手段により取得される認証情報と、印刷装置に設置される第２の認証情報取得手段により取得される認証情報を比較する比較手段と、比較手段により認証情報の比較結果が一致する場合はジョブの印刷を実行するように印刷制御する印刷制御手段と、を有することを特徴とする。【選択図】図１
2016207104.tif 000002
【特許請求の範囲】
【請求項１】
端末装置からのジョブの印刷指示により印刷を実行する印刷制御システムであって、
前記端末装置に設置される、第１の認証情報取得手段と、
前記端末装置からの指示によりジョブの印刷を行う印刷装置と、
前記印刷装置に設置される第２の認証情報取得手段と、
前記端末装置から前記印刷装置に転送される、印刷ジョブ、及び認証情報を転送するための転送手段と、
前記印刷装置にあって、前記第１の認証情報取得手段により取得される認証情報と、前記印刷装置に設置される第２の認証情報取得手段により取得される認証情報を比較する比較手段と、
前記比較手段により前記認証情報の比較結果が一致する場合はジョブの印刷を実行するように印刷制御する印刷制御手段と、
を有することを特徴とする印刷制御システム。
【請求項２】
前記第１の認証情報取得手段、前記第２の認証情報取得手段が取得する認証情報はユーザの顔画像であることを特徴とする請求項１に記載の印刷制御システム。
【請求項３】
前記第１の認証情報取得手段で取得されるユーザの顔画像から顔の特徴点情報を抽出する手段を設け、前記顔の特徴点情報を前記印刷装置に転送することを特徴とする請求項１又は請求項２に記載の印刷制御システム。
【請求項４】
前記端末装置から前記印刷装置に転送される前記認証情報は印刷ジョブに関連づけられて、印刷ジョブとは別の転送経路で転送されることを特徴とする請求項１乃至請求項３の何れか一項に記載の印刷制御システム。
【発明の詳細な説明】
【技術分野】
【０００１】
本発明は、端末装置からの指示で印刷を実行する印刷制御システムに関し、特に、端末装置のユーザ本人がプリントすることを要求しているかどうかを確実に判定してから印刷する技術に関する。
【背景技術】
【０００２】
従来からＬＡＮ等のネットワーク回線に印刷装置を接続し、複数のユーザが共同使用する印刷システムが構築されている。しかし、このようなシステムでは、本来のユーザ以外の者が印刷装置を利用する場合があり、このため親展文書や秘密文書の印刷物を他の者が持ち去り読まれてしまう場合がある。
【０００３】
そこで、特許文献１に開示されているように、親展文書や秘密文書等の印刷時にＩＤ番号やパスワードを入力するようにして、印刷を要求したユーザに対してのみ印刷を可能にした印刷装置が提案されている。
【０００４】
また、プリンタサーバを設け、プリンタサーバにログインできるユーザに対してのみ印刷を可能にするシステムも提案されている。
【０００５】
しかしながら特許文献１の印刷装置では、印刷時にＩＤ番号やパスワードの入力操作が必要であり、またセキュリティーを維持するためパスワード等を定期的に変更する必要もあり、操作が煩雑になっていた。
【０００６】
そこで、特許文献２に開示されているように、顔写真等のユーザの認証情報を作成して印刷データに付加して、印刷時に印刷データに付加された顔写真等のユーザの認証情報によりユーザを照合して印刷処理を行うシステムが提案されている。
【０００７】
上記特許文献２においては、パーソナルコンピュータからなるホスト装置に配置されたカメラで顔写真を取得して印刷データにマージしてプリンタ装置に転送する。
【０００８】
また、プリンタ装置では転送された印刷データから顔写真の情報を分離して、プリンタ装置に配置されたカメラで取得したユーザの顔写真と、上記のホスト装置から転送された顔写真の情報と照合することにより一致した場合に印刷処理を行うようにしている。
【０００９】
これにより、ユーザは印刷時にＩＤ番号やパスワードの入力操作をすることなく、顔写真等のユーザの認証情報によりユーザが照合されれば印刷物を取得することができ、照合されない場合は印刷物の出力を阻止することができる。
【先行技術文献】
【特許文献】
【００１０】
【特許文献１】特開平１１−２８８５０号公報
【特許文献２】特開２００４−２５２５０１号公報
【発明の概要】
【発明が解決しようとする課題】
【００１１】
しかしながら、特許文献２に示した装置では、ホスト装置に配置されたカメラで顔写真を取得して転送するようにしているため、顔写真の画像データからなる認証情報のデータ容量が非常に大きくなる恐れがある。
【００１２】
また、特許文献２に示した装置では、常にホスト装置のアプリケーションで処理、生成された印刷データに認証情報をマージして転送し、プリンタ装置で印刷データと認証情報を分離するようにしている。
【００１３】
しかし、ホスト装置として携帯端末等のようなデータ処理能力があまり高くない端末から印刷を行う場合は、多くの場合、印刷データの生成を端末で行うことは困難である。
【００１４】
このため、プリンタ装置に認証情報を転送する際に、常にホスト装置側で印刷データと認証情報をマージして転送するのは、特に携帯端末等から印刷を行う印刷システムを構成する上では不都合なものであった。
【課題を解決するための手段】
【００１５】
上記の課題を解決するために、請求項１に記載の発明によれば、ジョブの印刷を指示する端末装置、端末装置に設置される第１の認証情報取得手段、端末装置からの指示によりジョブの印刷を行う印刷装置、印刷装置に設置される第２の認証情報取得手段、端末装置から前記印刷装置に転送される、印刷ジョブ、及び認証情報を転送するための転送手段、印刷装置にあって、前記端末装置に設置される第１の認証情報取得手段により取得される認証情報と、前記印刷装置に設置される第２の認証情報取得手段により取得される認証情報を比較する手段から構成され、記認証情報の比較結果が一致する場合はジョブの印刷を実行するように印刷制御するようにしている。
【００１６】
これにより、事前に印刷装置に認証情報を登録することなく、ユーザが印刷装置に近づくだけで自動的にユーザの認証を行いジョブの印刷を行うことができる。
【００１７】
また、請求項２に記載の発明によれば、認証情報取得は顔画像であり、認証情報取得手段としてはカメラ等が使用できる。
【００１８】
また、請求項３に記載の発明によれば、ユーザの顔画像から顔の特徴点情報を抽出する手段を設けて、顔の特徴点情報を転送するので、転送する認証情報のデータ容量を小さくできる。
【００１９】
また、請求項４に記載の発明によれば、転送される認証情報は印刷ジョブに関連づけられて、印刷ジョブとは別の転送経路で転送されるので、印刷システムを構築する上での制約は少なく、携帯端末等を使用する印刷システムにも好適な構成となる。
【発明の効果】
【００２０】
本発明によれば、事前に印刷装置に認証情報である顔情報を登録することなく、ユーザが印刷装置に近づくだけで自動的にユーザの顔認証を行いジョブの印刷を行うことができる。
【００２１】
また、これにより、ユーザは親展文書や秘密文書であってもセキュリティーを確実に確保しつつ利便性の高い印刷処理を行うことができる。
【図面の簡単な説明】
【００２２】
【図１】印刷制御システムの構成を示す図
【図２】印刷装置のブロック図
【図３】携帯端末のブロック図
【図４】顔認証を説明するための図
【図５】携帯端末から印刷ジョブの転送を行う手順を示すフローチャート
【図６】携帯端末の表示デバイスに表示される画面の事例を示す図
【図７】印刷装置でジョブの印刷を行う手順を示すフローチャート
【発明を実施するための形態】
【００２３】
以下、本発明を実施するための形態について図面を用いて説明する。尚、以下の実施形態は特許請求の範囲に係る本発明を限定するものでなく、また本実施形態で説明されている特徴の組み合わせの全てが本発明の解決手段に必須のものとは限らない。
【００２４】
図１は本発明の実施形態に係る印刷制御システムの概略構成を示す図である。ＬＡＮ１０１はネットワーク回線であり、ＴＣＰ／ＩＰによるネットワークプロトコルにより回線制御されるものである。ＬＡＮ１０１には印刷装置１０２、印刷サーバ１０３、携帯端末無線基地局１０５が接続されている。
【００２５】
印刷装置１０２は、ＬＡＮ１０１から到来する印刷ジョブを受信して印刷を行う。なお印刷装置１０２は、ユーザの顔を撮影するための顔撮影用カメラ１０２ａを備えている。なお、本実施例では、印刷装置１０２のＬＡＮ１０１におけるＩＰアドレス設定は、“ｘｘｘ．ｘｘｘ．ｘｘｘ．ｙｙｙ”であるとする。また、印刷装置１０２のプリンタ名は、“ＴＫ−１００”であるとする。
【００２６】
印刷サーバ１０３は、携帯端末１０４から印刷装置１０２に印刷ジョブを転送して印刷を行う際に、携帯端末１０４から転送される印刷ファイルデータを印刷装置１０２が印刷処理可能なデータ形式に変換するものである。なお、印刷サーバ１０３のＬＡＮ１０１におけるＩＰアドレス設定は、“ｘｘｘ．ｘｘｘ．ｘｘｘ．ｚｚｚ”であるとする。
【００２７】
携帯端末１０４は、アプリケーションにより各種の作業を行うものであり、携帯端末無線通信網１０６を介してＬＡＮ１０１に接続することが可能である。なお、より具体的には、携帯端末１０４の事例としては、タブレット端末、スマートフォン端末などが該当する。また、携帯端末１０４は、ユーザの顔を撮影するための顔撮影用カメラ１０４ａを備えている。
【００２８】
携帯端末無線基地局１０５は、携帯端末無線通信網１０６を介して、携帯端末１０４と通信を行う基地局である。携帯端末無線基地局１０５はＬＡＮ１０１と接続されており、携帯端末１０４と無線通信により送受信する通信データをＴＣＰ／ＩＰによるネットワークプロトコルによりＬＡＮ１０１に送受信できる。
【００２９】
携帯端末無線通信網１０６は、携帯端末１０４と携帯端末無線基地局１０５が通信を行うための無線通信網である。
【００３０】
ここで、携帯端末１０４のアプリケーションからデータファイルを印刷ジョブとして印刷装置１０２で印刷する場合の動作の概要を説明する。
【００３１】
携帯端末１０４は、携帯性を重視しているためサイズや消費電力の制約から、使用しているＣＰＵのパフォーマンスはそれほど高くなく、また搭載しているメモリの容量もそれほど大きくない。
【００３２】
一方、データファイルを印刷装置１０２で印刷可能なデータ形式に変換を行うためのプリンタドライバは容量も大きく、プリンタドライバの処理には相当のＣＰＵのパフォーマンス、及びメモリ容量が必要である。
【００３３】
そこで、本発明の実施形態では、印刷サーバ１０３により印刷装置１０２で印刷可能なデータ形式に変換するための処理を行う。すなわち、携帯端末１０４にて印刷指定された、データファイルは印刷ジョブとして印刷サーバ１０３に転送される。
【００３４】
印刷サーバ１０３では、転送されたデータファイルを印刷装置１０２が印刷可能なデータ形式（例えばＰＤＬ形式）に変換して、印刷装置１０２に転送する。
【００３５】
この後、印刷装置１０２は、印刷ジョブとして受信したデータ（例えばＰＤＬ形式）をＲＩＰ処理して、記録紙上に印刷する印刷イメージを生成して印刷を行う。
【００３６】
図２は本実施形態に係る、図１で示した印刷装置１０２の構成を示すブロック図である。
【００３７】
ＬＡＮ制御部２０１はＬＡＮ１０１と通信制御を行う。なお、印刷装置１０２は、ＬＡＮ制御部２０１を介して、ＬＡＮ１０１から印刷ジョブを受信する。中央制御部２０２は、印刷装置１０２を統括的に制御する。具体的には中央制御部２０２はＣＰＵにより構成される。ＲＩＰ処理部２０３は印刷ジョブとして受信したデータをＲＩＰ処理して、記録紙上に印刷するために展開された印刷画像データを生成する。操作部２０４は、ユーザが印刷装置１０２の各種の操作を行うためのもので、操作用のボタンと表示ユニットからなる。
【００３８】
メモリ部２０５は、中央制御部２０２が各種の制御を行う際に使用する動作用メモリと制御を行うプログラムが蓄積されているプログラムメモリを兼ねている。具体的には、メモリ部２０５はＲＯＭ、ＲＡＭ、ＨＤＤなどにより構成される。印刷画像メモリ部２０６は、ＲＩＰ処理部２０３によりＲＩＰ処理された印刷画像データを蓄積する。具体的には、印刷画像メモリ部２０６はＲＡＭ、ＨＤＤなどにより構成される。
【００３９】
印刷画像処理部２０７は、印刷画像メモリ部２０６に蓄積されている印刷画像データを印刷する際に印刷画像処理を行う。印字部２０８は印刷画像処理部２０７で印刷画像処理されたデータを記録紙上に印刷する。
【００４０】
顔撮影用カメラ１０２ａは、印刷装置１０２に到来したユーザの顔を捉えて顔写真の撮影を行うカメラである。この顔撮影用カメラ１０２ａは、図１で示した顔撮影用カメラ１０２ａに相当する。
【００４１】
顔比較認証部２０９は顔撮影用カメラ１０２ａで撮影されたユーザの顔写真と携帯端末１０４から転送されたユーザの顔の特徴点情報を比較して顔の照合を行いユーザの認証を行う。
【００４２】
図３は本実施形態に係る、図１で示した携帯端末１０４の構成を示すブロック図である。
【００４３】
通信制御部３０１は、携帯端末無線通信網１０６と通信制御を行う。すなわち、携帯端末１０４は、通信制御部３０１を介して、印刷ジョブを送信する。中央制御部３０２は、携帯端末１０４を統括的に制御する。具体的には、中央制御部３０２はＣＰＵで構成される。
【００４４】
メモリ部３０３は、中央制御部３０２が各種の制御を行う際に使用する動作用メモリと制御を行うプログラムが蓄積されているプログラムメモリを兼ねている。具体的には、メモリ部３０３はＲＯＭ、ＲＡＭ、フラッシュメモリなどにより構成される。
【００４５】
操作部３０４はユーザが携帯端末１０４の操作を行うためのもので、表示とボタン操作入力を兼ねているタッチパネルにより構成されている。
【００４６】
アプリケーション処理部３０５は、携帯端末１０４にインストールされた各種のアプリケーションを実行処理する。
【００４７】
ファイルデータ用メモリ３０６は、アプリケーション処理部３０５がアプリケーションの実行処理を行う際に入出力するファイルデータを保持する。
【００４８】
具体的には、ファイルデータ用メモリ３０６は、ＲＯＭ、ＲＡＭ、フラッシュメモリなどにより構成される。
【００４９】
顔撮影用カメラ１０４ａは、携帯端末１０４を操作するユーザの顔を捉えて顔写真の撮影を行うカメラである。顔撮影用カメラ１０４ａは、図１で示した顔撮影用カメラ１０４ａに相当する。
【００５０】
顔特徴点抽出部３０７は、顔撮影用カメラ１０４ａで撮影したユーザの顔写真を処理して顔の特徴点を抽出し、顔特徴点データを生成する。
【００５１】
ここで、本発明の実施形態に係る印刷制御システムにおけるユーザの顔の照合による認証の動作について概要を説明する。
【００５２】
まず、ユーザは携帯端末１０４を操作して印刷ジョブの印刷のために、印刷ジョブを印刷装置１０２に印刷ジョブを転送する。
【００５３】
その際、携帯端末１０４では、顔撮影用カメラ１０４ａでユーザの顔写真が撮影される。この顔写真は、顔特徴点抽出部３０７により処理されて顔の特徴点情報が生成される。
【００５４】
具体的な事例を図４に説明する。
【００５５】
図４−１の顔写真４０１は顔撮影用カメラ１０４ａで撮影されたユーザの顔写真である。
【００５６】
この顔写真４０１は顔特徴点抽出部３０７により処理され、顔特徴点抽出部３０７は、図４−２の顔特徴点情報４０２で示すように顔の特徴点の各ポイントの座標情報を生成する。
【００５７】
すなわち、顔特徴点情報４０２によれば、ユーザの顔写真４０１を処理することにより、ユーザの顔の両目、鼻、口、耳、輪郭のそれぞれのパーツの特徴点を選定し、その相対座標をそのユーザの顔特徴点情報として生成するようにしている。
【００５８】
なお、ここで、顔のパーツとして、両目、鼻、口、耳、輪郭の特徴点を抽出するようにしたが、特徴点が抽出できれば、各パーツのいずれか、またはその組み合わせでも構わない。
【００５９】
次にここで、携帯端末１０４で生成された、この顔特徴点情報は、上記の印刷ジョブとは別に印刷装置１０２に転送される。印刷装置１０２に転送された顔特徴点情報は、印刷装置１０２において、メモリ部２０５に蓄積される。
【００６０】
印刷装置１０２においては、ユーザが印刷装置１０２の近傍に到来すると、顔撮影用カメラ１０２ａによりユーザの顔が捉えられて顔写真が撮影される。
【００６１】
そして、顔比較認証部２０９により、顔撮影用カメラ１０２ａで撮影された顔写真と、メモリ部２０５に蓄積されている携帯端末１０４から転送された顔特徴点情報を照合する。
これにより、ユーザが同一人物であるか、否かを判定してユーザの認証を行う。
【００６２】
すなわち、顔撮影用カメラ１０２ａで撮影された顔写真と、メモリ部２０５に蓄積されている携帯端末１０４から転送された顔特徴点情報を照合して、ユーザが同一人物である場合は認証ＯＫとして、同一人物でない場合は認証ＮＧとする。
【００６３】
次に、以上の説明に基づいて、本発明の実施形態に係る印刷制御システムで印刷を行う際の動作を以下にさらに詳細に説明する。
【００６４】
まず、本発明の実施形態の印刷制御システムで印刷を行う際の全ての動作は大きく分けて、次の制御手順に従って行われる。
【００６５】
ユーザは携帯端末１０４で印刷プリンタの選択、プリントファイルの選択、印刷設定を行い、印刷ジョブを転送する。この印刷ジョブは印刷サーバ１０３に転送される。一方、この際に同時に携帯端末１０４に備えられた顔撮影用カメラ１０４ａによりユーザの顔写真が撮影され、これにより生成されるユーザの顔の特徴点情報が印刷装置１０２に転送される。
【００６６】
携帯端末１０４から印刷サーバ１０３に転送された印刷ジョブは、印刷サーバ１０３により印刷装置１０２が印刷可能な印刷データ形式に変換されて、印刷装置１０２に転送される。印刷装置１０２に転送された印刷データは、印刷装置１０２により処理され、印刷画像データが生成され保持される。
【００６７】
一方、携帯端末１０４より直接、印刷装置１０２に転送されたユーザの顔の特徴点情報は印刷装置１０２に保持される。
【００６８】
この後、ユーザが印刷装置１０２に到来すると、印刷装置１０２に備えられた顔撮影用カメラ１０２ａによりユーザの顔写真が撮影される。これにより、ユーザの顔写真と先に携帯端末１０４より印刷装置１０２に転送されたユーザの顔の特徴点情報を照合しユーザの顔の認証を行う。照合の結果、ユーザが同一人物であるとして認証ＯＫであれば、先に印刷装置１０２に保持された印刷画像データが印刷出力される。ユーザが同一人物ではないとして認証ＮＧであれば印刷出力されない。
【００６９】
以下に本発明の実施形態に係る印刷制御システムの印刷動作の制御手順の詳細説明を行う。初めに、ユーザが携帯端末１０４により、印刷プリンタの選択、プリントファイルの選択、印刷設定などの行い、印刷ジョブを転送する動作を図５のフローチャートを用いて説明する。
【００７０】
まず、ユーザは、操作部３０４のタッチパネルを操作して印刷プリンタの選択の指示をする。中央制御部３０２はこれを検知すると、表示部３０４に印刷プリンタ選択用の操作画面を表示する。
【００７１】
携帯端末１０４には予め複数種類のプリンタが登録されており、これらのプリンタ名がメモリ部３０３に記憶されているものとする。
【００７２】
従って、中央制御部３０２はこれらのプリンタ名をメモリ部３０３から読み出して、表示部３０４に選択可能なプリンタとして表示するものとする。
【００７３】
図６−１は印刷プリンタの選択用の操作部３０４の操作画面を示している。ユーザは印刷装置１０２での印刷を希望するため、登録されているプリンタから、印刷装置１０２に相当する“ＴＫ−１００”を選択する。
これにより中央制御部３０２は図６−１の表示６０１のように選択されたことを明示する。ユーザはプリンタの選択を終えると“ＯＫ”ボタンを押下する。
【００７４】
中央制御部３０２はこれを検知して、選択されたプリンタは印刷装置１０２に相当する“ＴＫ−１００”である旨をメモリ部３０３に記憶する。（Ｓ５００１）
次に、ユーザは操作部３０４のタッチパネルを操作してプリントファイルの選択を指示する。中央制御部３０２はこれを検知すると、表示部３０４にプリントファイル選択用の操作画面を表示する。
【００７５】
ここで、携帯端末１０４で処理を行うファイルデータはファイルデータ用メモリ３０６に蓄積されている。中央制御部３０２はこれらのファイルデータのファイル名をファイルデータ用メモリ３０６から読み出して、表示部３０４に選択可能なプリントファイルとして表示する。
【００７６】
図６−２は印刷プリンタの選択用の操作部３０４の操作画面を示している。ユーザはファイル名“Ｂｕｎｓｙｏ３．ｄｏｃ”の印刷を希望するため、選択可能なプリントファイルから、“Ｂｕｎｓｙｏ３．ｄｏｃ”を選択する。これにより中央制御部３０２は図６−２の表示６０２のように選択されたことを明示する。ユーザはプリンタの選択を終えると“ＯＫ”ボタンを押下する。
【００７７】
中央制御部３０２はこれを検知して、選択されたプリントファイルは、Ｂｕｎｓｙｏ３．ｄｏｃ”である旨をメモリ部３０３に記憶する。（Ｓ５００２）
次に、ユーザは操作部３０４のタッチパネルを操作して印刷ジョブの印刷設定を指示する。中央制御部３０２はこれを検知すると、表示部３０４に印刷設定用の操作画面を表示する。
【００７８】
本発明の実施形態では、印刷設定として、用紙サイズ、印刷の向き、印刷部数が設定できるものとする。中央制御部３０２は用紙サイズ、印刷の向き、印刷部数の選択画面を表示する。
【００７９】
図６−３は印刷設定用の操作部３０４の操作画面を示している。ユーザは印刷設定として、用紙サイズ“Ａ４”、印刷の向き“縦”、印刷部数“２部”を設定したものとする。
【００８０】
これにより中央制御部３０２は図６−３の表示６０３、６０４、６０５のように選択された設定を明示する。
ユーザは印刷設定を終えると“ＯＫ”ボタンを押下する。
【００８１】
中央制御部３０２はこれを検知して、印刷設定として、用紙サイズ“Ａ４”、印刷の向き“縦”、印刷部数“２部”を設定した旨をメモリ部３０３に記憶する。（Ｓ５００３）
この後、中央制御部３０２は印刷ジョブに関して必要な設定が全てなされたものとして、この印刷ジョブの任意のジョブＩＤを付与する。中央制御部３０２は、表示部３０４に付与したジョブＩＤを示すと同時にこの後、印刷ジョブをプリンタに転送することをユーザに知らせる操作画面を表示する。同時に中央制御部３０２は、付与したジョブＩＤをメモリ部３０３に記憶する。
【００８２】
図６−４は操作部３０４の付与したジョブＩＤを示すと同時にこの後、印刷ジョブをプリンタに転送することをユーザに知らせる操作画面を示している。ここでは中央制御部３０２により付与されたジョブＩＤは“０１２３４”であるとする。中央制御部３０２は図６−４の表示６０６のように付与されたジョブIDを明示する（Ｓ５００４）。
【００８３】
以上の後、ユーザは、図６−４は印刷設定用の操作部３０４の操作画面において、ジョブの転送を開始するために“ＯＫ”ボタンを押下する。これにより、中央制御部３０２は、Ｓ５００１で選択された印刷プリンタのプリンタ名、Ｓ５００２で選択されたプリントファイルのファイル名、Ｓ５００３で設定された印刷設定、Ｓ５００４で付与したジョブＩＤをメモリ部３０３から読み出す。
【００８４】
合わせて、中央制御部３０２は、Ｓ５００２で選択されたプリントファイル名に対応するプリントファイルデータをファイルデータ用メモリ３０６から読み出す。中央制御部３０２はこれらの情報をジョブＩＤ“０１２３４”の印刷ジョブ情報としてまとめて通信制御部３０１に書き込む。さらに、中央制御部３０２は通信制御部３０１により、ジョブＩＤ“０１２３４”の印刷ジョブ情報を印刷サーバ１０３のＩＰアドレス“ｘｘｘ．ｘｘｘ．ｘｘｘ．ｚｚｚ”に宛てて転送する。（Ｓ５００５）
上記において、ユーザが、図６−４は印刷設定用の操作部３０４の操作画面において、ジョブの転送を開始するために“ＯＫ”ボタンを押下した時点で、ユーザの顔認証のための顔特徴点情報の生成とその転送が行われる。
【００８５】
すなわち、中央制御部３０２は、ユーザが図６−４は印刷設定用の操作部３０４の操作画面において、ジョブの転送を開始するために“ＯＫ”ボタンを押下したことを検知すると、顔撮影用カメラ１０４ａによりユーザの顔写真を撮影する。
【００８６】
中央制御部３０２は、この顔写真を顔特徴点抽出部３０７に転送する。中央制御部３０２は顔特徴点抽出部３０７により、ユーザの顔の顔特徴点情報を生成する。
【００８７】
そして、中央制御部３０２は、この顔特徴点情報を通信制御部３０１に書き込む。さらに、中央制御部３０２は、メモリ部３０３からこの印刷ジョブのジョブＩＤとして“０１２３４”を通信制御部３０１に書き込む。これにより、中央制御部３０２は通信制御部３０１により、ジョブＩＤ“０１２３４”の顔特徴点情報を印刷装置１０２のＩＰアドレス“ｘｘｘ．ｘｘｘ．ｘｘｘ．ｙｙｙ”に宛てて転送する（Ｓ５００６）。以上により、携帯端末１０４による印刷ジョブの転送が終了する。
【００８８】
次に、ここで、Ｓ５００５で転送制御された印刷ジョブと、Ｓ５００６で転送制御された顔の特徴点情報が印刷装置１０２に転送される際の本発明の実施形態における制御方法を以下に説明する。
【００８９】
まず、Ｓ５００５でＩＰアドレス“ｘｘｘ．ｘｘｘ．ｘｘｘ．ｚｚｚ”に宛てて転送された、ジョブＩＤ“０１２３４”の印刷ジョブ情報は、携帯端末無線通信網１０６を介して携帯端末無線基地局１０５にもたらされる。
【００９０】
携帯端末無線基地局１０５は、宛先であるＩＰアドレス“ｘｘｘ．ｘｘｘ．ｘｘｘ．ｚｚｚ”に、ジョブＩＤ“０１２３４”の印刷ジョブ情報を転送する。
【００９１】
ＬＡＮ１０１はＴＣＰ／ＩＰプロトコルにより、このジョブＩＤ“０１２３４”の印刷ジョブ情報をＩＰアドレス“ｘｘｘ．ｘｘｘ．ｘｘｘ．ｚｚｚ”に対応する印刷サーバ１０３に転送する。
【００９２】
印刷サーバ１０３は受信した、ジョブＩＤ“０１２３４”の印刷ジョブ情報に従いジョブの印刷に必要な処理を行う。
【００９３】
すなわち、印刷サーバ１０３は、ジョブＩＤ“０１２３４”の印刷ジョブ情報により、
印刷プリンタのプリンタ名、プリントファイルのファイル名、印刷設定、ジョブＩＤを認識する。
【００９４】
そして、指定された印刷プリンタである、印刷装置１０２（プリンタ名：ＴＫ−１００）が印刷可能な印刷データ形式にプリントファイルデータを変換する。この際に指定された印刷設定を反映してプリントファイルデータが変換される。なお、ここでは、印刷装置１０２（プリンタ名：ＴＫ−１００）が印刷可能な印刷データ形式としてＰＤＬ形式に変換するものとする。
【００９５】
この後、印刷サーバ１０３は、指定された印刷装置１０２（プリンタ名：ＴＫ−１００）に対応したＩＰアドレス“ｘｘｘ．ｘｘｘ．ｘｘｘ．ｙｙｙ”に変換された印刷ジョブ情報を転送する。
【００９６】
すなわち、印刷サーバ１０３はＰＤＬ形式に変換されたプリントデータ、プリントファイルのファイル名、ジョブＩＤを変換された印刷ジョブ情報として、ＩＰアドレス“ｘｘｘ．ｘｘｘ．ｘｘｘ．ｙｙｙ”に転送する。
【００９７】
ＬＡＮ１０１はＴＣＰ／ＩＰプロトコルにより、このジョブＩＤ“０１２３４”の変換された印刷ジョブ情報をＩＰアドレス“ｘｘｘ．ｘｘｘ．ｘｘｘ．ｙｙｙ”に対応する印刷装置１０２に転送する。
【００９８】
一方、Ｓ５００６でＩＰアドレス“ｘｘｘ．ｘｘｘ．ｘｘｘ．ｙｙｙ”に宛てて転送された、ジョブＩＤ“０１２３４”の顔特徴点情報は、携帯端末無線通信網１０６を介して携帯端末無線基地局１０５にもたらされる。
【００９９】
携帯端末無線基地局１０５は、宛先であるＩＰアドレス“ｘｘｘ．ｘｘｘ．ｘｘｘ．ｙｙｙ”に、ジョブＩＤ“０１２３４”の顔特徴点情報を転送する。
ＬＡＮ１０１はＴＣＰ／ＩＰプロトコルにより、このジョブＩＤ“０１２３４”の顔特徴点情報をＩＰアドレス“ｘｘｘ．ｘｘｘ．ｘｘｘ．ｙｙｙ”に対応する印刷装置１０２に転送する。以上で、携帯端末１０４から転送された印刷ジョブと顔の特徴点情報が印刷装置１０２に受信されたことになる。
【０１００】
次に、ここで、ユーザが携帯端末１０４から印刷装置１０２に転送した印刷ジョブを印刷装置１０２で印刷する際の印刷装置１０２の動作を図７のフローチャートを用いて説明する。
【０１０１】
まず、上記の説明の通り、印刷サーバ１０３により変換された印刷ジョブ情報は、ＬＡＮ１０１を介してＬＡＮ制御部２０１で受信される。
【０１０２】
すなわち、中央制御部２０２はＬＡＮ制御部２０１により変換された印刷ジョブ情報として、ＰＤＬ形式に変換されたプリントデータ、プリントファイルのファイル名、ジョブＩＤを受信する。
【０１０３】
中央制御部２０２は、プリントファイル名をジョブＩＤ“０１２３４”に関連づけてメモリ部２０５に記憶する（Ｓ７００１）。
【０１０４】
ここで、中央制御部２０２はＰＤＬ形式に変換されたプリントデータをＲＩＰ処理部２０３に転送して、ＲＩＰ処理を行い印刷画像データを生成する。
【０１０５】
中央制御部２０２は生成した印刷画像データ印刷画像をジョブＩＤ“０１２３４”に関連づけてメモリ部２０６に蓄積する（Ｓ７００２）。
【０１０６】
一方、上記の説明の通り、携帯端末１０４から転送されたジョブＩＤ“０１２３４”に対応する顔特徴点情報は、ＬＡＮ１０１を介してＬＡＮ制御部２０１で受信される。
【０１０７】
すなわち、中央制御部２０２はＬＡＮ制御部２０１によりジョブＩＤ“０１２３４”の顔特徴点情報を受信する。
【０１０８】
中央制御部２０２は、この顔特徴点情報をジョブＩＤ“０１２３４”に関連づけてメモリ部２０５に記憶する（Ｓ７００３）。
【０１０９】
この後、中央制御部２０２は顔撮影カメラ１０４ａにより、印刷装置１０２に接近してくるユーザを監視して、ユーザが接近しているかどうかを判断する（Ｓ７００４）。
【０１１０】
Ｓ７００４において、中央制御部２０２は、ユーザが接近していないと判断した場合（Ｓ７００４の判断が“ＮＯ”）は、ユーザの監視を継続する。
【０１１１】
Ｓ７００４において、中央制御部２０２は、ユーザが接近していると判断した場合（Ｓ７００４の判断が“ＹＥＳ”）は、Ｓ７００５に進む。
【０１１２】
すなわち、中央制御部２０２は顔撮影カメラ１０２ａにより接近してくるユーザの顔を捉え、ユーザの顔写真を撮影する（Ｓ７００５）。
【０１１３】
さらに、中央制御部２０２は、顔比較認証部２０９により、Ｓ７００５で顔撮影カメラ１０２ａにより撮影したユーザの顔写真と、Ｓ７００３でメモリ部２０５に記憶したジョブＩＤ“０１２３４”に関連づけられた顔特徴点情報を照合して顔認証を行う。
【０１１４】
すなわち、中央制御部２０２は、１０２ａにより撮影したユーザの顔写真と、携帯端末１０４から転送された顔特徴点情報を照合してユーザが同一であると判断した場合は認証ＯＫと判断する。一方、ユーザが同一人物でないと判断した場合は認証ＮＧとする（Ｓ７００６）。
【０１１５】
Ｓ７００６において、中央制御部２０２は認証ＮＧと判断した場合（Ｓ７００６の判断が“ＮＯ”）はＳ７００４に進みユーザの監視を継続する。
【０１１６】
一方、Ｓ７００６において、中央制御部２０２は認証ＯＫと判断した場合（Ｓ７００６の判断が“ＹＥＳ”）はＳ７００７に進む。
【０１１７】
すなわち、中央制御部２０２はＳ７００２で、メモリ部２０６に蓄積した、ジョブＩＤ“０１２３４”に関連づけられた印刷画像データを印刷画像処理部２０７に転送して、印刷前処理を行う。
【０１１８】
さらに中央制御部２０２は印刷画像処理部２０７で印刷前処理された印刷画像データを印字部２０８に転送して印字処理を行う。
【０１１９】
以上により、印刷装置１０２におけるジョブの印刷を終了する。
【０１２０】
なお、上記の説明において、Ｓ７００６で顔認証ＮＧの場合（Ｓ７００６の判断が“ＮＯ”）は、Ｓ７００４に進んで、そのままユーザの接近を継続するとした。しかし、その際に顔認証ＮＧであるためジョブの印刷出力を行わない事を操作部２０４に表示してもよい。
【０１２１】
また、上記の説明においては、携帯端末１０４から転送される1つの印刷ジョブごとに毎回、ユーザの顔撮影を行い、顔の特徴点情報をジョブに対応づけて転送して、印刷装置１０２で顔認証を行いジョブの印刷を行うものとした。
【０１２２】
しかし、携帯端末１０４のジョブ転送の操作において、複数のジョブを一度に転送できるようにすることも可能である。すなわち、この場合は、この複数のジョブの転送に対して、1度のユーザの顔撮影、顔の特徴点情報の転送を行い、印刷装置１０２ではこの複数のジョブを一度の顔認証で印刷するようにしてもよい。
【０１２３】
以上説明した通り、本発明の実施形態によれば、携帯端末１０４を操作してジョブの印刷を指示したユーザが、その後、印刷装置１０２に到来した場合は顔認証ＯＫとなり、携帯端末１０４で指示したジョブの印刷が行われる。
【０１２４】
一方、その他のユーザが印刷装置１０２に到来した場合は顔認証ＮＧとなるので、このジョブの印刷が行われることはない。
【０１２５】
また、本発明の実施形態によれば、携帯端末１０４から転送された、印刷ジョブは印刷サーバ１０３で変換されて印刷装置１０２に受信される。
【０１２６】
また、携帯端末１０４から転送された、ユーザの顔の特徴点情報は、直接、印刷装置１０２に受信される。
【０１２７】
すなわち、印刷ジョブと認証のためのユーザの顔の特徴点情報はジョブＩＤに関連付けられて、個別の情報として扱われるため、それぞれ別の通信経路により転送されても構わない。
【０１２８】
以上説明した通り、本発明の実施形態によれば、事前に印刷装置に認証情報である顔の情報を登録することなく、ユーザが印刷装置１０２に近づくだけで自動的にユーザの顔認証を行いジョブの印刷を行うことができる。
【０１２９】
また、これにより、ユーザは親展文書や秘密文書であってもセキュリティーを確実に確保しつつ利便性の高い印刷処理を行うことができる。
【符号の説明】
【０１３０】
１０１  ＬＡＮ、１０２  印刷装置、１０３  印刷サーバ、１０４  携帯端末、
１０５  無線基地局、１０６  無線通信網、２０１  ＬＡＮ制御部、
２０２  中央演算部、２０３  ＲＩＰ処理部、２０４  操作部、２０５  メモリ部、
２０６  印刷画像メモリ部、２０７  印刷画像処理部、２０８  印字部、
２０９  顔比較認証部、３０１  通信制御部、３０２  中央演算部、３０３  メモリ部、
３０４  操作部、３０５  アプリケーション処理部、
３０６  ファイルデータ用メモリ部、３０７  顔特徴点抽出部
【図１】
2016207104.tif 000003
【図２】
2016207104.tif 000004
【図３】
2016207104.tif 000005
【図４】
2016207104.tif 000006
【図５】
2016207104.tif 000007
【図６】
2016207104.tif 000008
【図７】
2016207104.tif 000009